(57)【特許請求の範囲】
【請求項１】
圧縮機と、四方弁と、室外熱交換器と、第一膨張弁と、第一室内熱交換器と、第二膨張弁と、第二室内熱交換器とを夫々直列に接続し、これら第一膨張弁および前記第一室内熱交換器と、第二膨張弁および前記第二室内熱交換器とを夫々並列に接続し、前記四方弁と、前記第一室内熱交換器との間に第一電磁弁を設け、前記四方弁と、前記第二室内熱交換器との間に第二電磁弁を設け、前記室外熱交換器と、前記第一室内熱交換器および前記第二室内熱交換器とを夫々並列に接続した配管に側路を設け、同側路に第三電磁弁を設けてなることを特徴とする空気調和機において、前記第一室内熱交換器を備えた第一室内機と、前記第二室内熱交換器を備えた第二室内機とを暖房運転する際、前記第一電磁弁および前記第二電磁弁を開いて前記第三電磁弁を閉じるとともに、前記第一膨張弁および前記第二膨張弁を絞り、前記圧縮機と、前記四方弁と、前記第一電磁弁および前記第二電磁弁と、前記第一室内熱交換器および前記第二室内熱交換器と、前記第一膨張弁および前記第二膨張弁と、前記室外熱交換器とで形成された冷凍サイクルを構成してなることを特徴とする空気調和機。
【請求項２】
圧縮機と、四方弁と、室外熱交換器と、第一膨張弁と、第一室内熱交換器と、第二膨張弁と、第二室内熱交換器とを夫々直列に接続し、これら第一膨張弁および前記第一室内熱交換器と、第二膨張弁および前記第二室内熱交換器とを夫々並列に接続し、前記四方弁と、前記第一室内熱交換器との間に第一電磁弁を設け、前記四方弁と、前記第二室内熱交換器との間に第二電磁弁を設け、前記室外熱交換器と、前記第一室内熱交換器および前記第二室内熱交換器とを夫々並列に接続した配管に側路を設け、同側路に第三電磁弁を設けてなることを特徴とする空気調和機において、前記第二室内熱交換器を備えた第二室内機の運転を停止して前記第一室内熱交換器を備えた第一室内機を暖房運転する際、前記第一電磁弁および前記第三電磁弁を開いて前記第二電磁弁を閉じるとともに、前記第一膨張弁を絞って前記第二膨張弁を閉じ、前記圧縮機と、前記四方弁と、前記第一電磁弁と、前記第一室内熱交換器と、前記第一膨張弁と、前記室外熱交換器とで形成された冷凍サイクルを構成してなることを特徴とする空気調和機。
【請求項３】
圧縮機と、四方弁と、室外熱交換器と、第一膨張弁と、第一室内熱交換器と、第二膨張弁と、第二室内熱交換器とを夫々直列に接続し、これら第一膨張弁および前記第一室内熱交換器と、第二膨張弁および前記第二室内熱交換器とを夫々並列に接続し、前記四方弁と、前記第一室内熱交換器との間に第一電磁弁を設け、前記四方弁と、前記第二室内熱交換器との間に第二電磁弁を設け、前記室外熱交換器と、前記第一室内熱交換器および前記第二室内熱交換器とを夫々並列に接続した配管に側路を設け、同側路に第三電磁弁を設けてなることを特徴とする空気調和機において、前記第一室内熱交換器を備えた第一室内機の運転を停止して前記第二室内熱交換器を備えた第二室内機を暖房運転する際、前記第二電磁弁および前記第三電磁弁を開いて前記第一電磁弁を閉じるとともに、前記第一膨張弁を閉じて前記第二膨張弁を絞り、前記圧縮機と、前記四方弁と、前記第二電磁弁と、前記第二室内熱交換器と、前記第二膨張弁と、前記室外熱交換器とで形成された冷凍サイクルを構成してなることを特徴とする空気調和機。
【請求項４】
圧縮機と、四方弁と、室外熱交換器と、第一膨張弁と、第一室内熱交換器と、第二膨張弁と、第二室内熱交換器とを夫々直列に接続し、これら第一膨張弁および前記第一室内熱交換器と、第二膨張弁および前記第二室内熱交換器とを夫々並列に接続し、前記四方弁と、前記第一室内熱交換器との間に第一電磁弁を設け、前記四方弁と、前記第二室内熱交換器との間に第二電磁弁を設け、前記室外熱交換器と、前記第一室内熱交換器および前記第二室内熱交換器とを夫々並列に接続した配管に側路を設け、同側路に第三電磁弁を設けてなることを特徴とする空気調和機において、前記第一室内熱交換器を備えた第一室内機と、前記第二室内熱交換器を備えた第二室内機とを冷房運転する際、前記第一電磁弁および前記第二電磁弁を開いて前記第三電磁弁を閉じるとともに、前記第一膨張弁および前記第二膨張弁を絞り、前記圧縮機と、前記四方弁と、前記室外熱交換器と、前記第一膨張弁および前記第二膨張弁と、前記第一室内熱交換器および前記第二室内熱交換器と、前記第一電磁弁および前記第二電磁弁とで形成された冷凍サイクルを構成してなることを特徴とする空気調和機。
【請求項５】
圧縮機と、四方弁と、室外熱交換器と、第一膨張弁と、第一室内熱交換器と、第二膨張弁と、第二室内熱交換器とを夫々直列に接続し、これら第一膨張弁および前記第一室内熱交換器と、第二膨張弁および前記第二室内熱交換器とを夫々並列に接続し、前記四方弁と、前記第一室内熱交換器との間に第一電磁弁を設け、前記四方弁と、前記第二室内熱交換器との間に第二電磁弁を設け、前記室外熱交換器と、前記第一室内熱交換器および前記第二室内熱交換器とを夫々並列に接続した配管に側路を設け、同側路に第三電磁弁を設けてなることを特徴とする空気調和機において、前記第二室内熱交換器を備えた第二室内機の運転を停止して前記第一室内熱交換器を備えた第一室内機を冷房運転する際、前記第一電磁弁および前記第三電磁弁を開いて前記第二電磁弁を閉じるとともに、前記第一膨張弁を絞って前記第二膨張弁を閉じ、前記圧縮機と、前記四方弁と、前記室外熱交換器と、前記第一膨張弁と、前記第一室内熱交換器と、前記第一電磁弁とで形成された冷凍サイクルを
構成してなることを特徴とする空気調和機。
【請求項６】
圧縮機と、四方弁と、室外熱交換器と、第一膨張弁と、第一室内熱交換器と、第二膨張弁と、第二室内熱交換器とを夫々直列に接続し、これら第一膨張弁および前記第一室内熱交換器と、第二膨張弁および前記第二室内熱交換器とを夫々並列に接続し、前記四方弁と、前記第一室内熱交換器との間に第一電磁弁を設け、前記四方弁と、前記第二室内熱交換器との間に第二電磁弁を設け、前記室外熱交換器と、前記第一室内熱交換器および前記第二室内熱交換器とを夫々並列に接続した配管に側路を設け、同側路に第三電磁弁を設けてなることを特徴とする空気調和機において、前記第一室内熱交換器を備えた第一室内機の運転を停止して前記第二室内熱交換器を備えた第二室内機を冷房運転する際、前記第二電磁弁および前記第三電磁弁を開いて前記第一電磁弁を閉じるとともに、前記第一膨張弁を閉じて前記第二膨張弁を絞り、前記圧縮機と、前記四方弁と、前記室外熱交換器と、前記第二膨張弁と、前記第二室内熱交換器と、前記第二電磁弁とで形成された冷凍サイクルを構成してなることを特徴とする空気調和機。
【発明の詳細な説明】
【０００１】
【発明の属する技術分野】
本発明は、マルチタイプの空気調和機に係わり、より詳細には、室外機に接続されている複数の室内機のうち、一部の室内機しか運転していない時、停止している室内機の熱交換器内に効率よく冷媒を溜めることができるようにした冷凍サイクルに関する。
【０００２】
【従来の技術】
従来のマルチタイプの空気調和機は、例えば図３で示すように、圧縮機１と、四方弁２と、室外熱交換器３と、第一膨張弁４と、一方の二方弁６と、第一室内熱交換器10と、一方の三方弁７と、第二膨張弁５と、他方の二方弁８と、第二室内熱交換器11と、他方の三方弁９とを夫々直列に接続し、これら第一膨張弁４、一方の二方弁６、第一室内熱交換器10および一方の三方弁７と、第二膨張弁５、他方の二方弁８、第二室内熱交換器11および他方の三方弁９とを夫々並列に接続した冷凍サイクルを形成してなる構成であった。
【０００３】
前記第一室内熱交換器10を備えた第一室内機Ａと、前記第二室内熱交換器11を備えた第二室内機Ｂとのうち何れか一方のみを運転した際、冷凍サイクル内の冷媒がオーバーチャージとなるため、停止している室内機側の室内熱交換器をレシーバタンクとして使用し、同室内熱交換器の冷媒流路に設けられている膨張弁を閉じることで冷媒を溜めるようにしていた。
【０００４】
しかしながら、冷媒を溜めようとする室内熱交換器の片側の冷媒流路が常に開いており、例えば暖房運転時に、吐出ガス（冷媒）を前記室内熱交換器内に直接入れているために効率よく冷媒を溜めることが難しく、また、とくに暖房運転開始時の暖房能力の低下の原因になっていた。
【０００５】
【発明が解決しようとする課題】
本発明においては、上記の問題点に鑑み、室外機に接続されている複数の室内機のうち、一部の室内機しか運転していない時、停止している室内機の熱交換器内に効率よく冷媒を溜めることができるように冷凍サイクルを形成した空気調和機を提供することを目的とする。
【０００６】
【課題を解決するための手段】
本発明は、上記課題を解決するため、圧縮機と、四方弁と、室外熱交換器と、第一膨張弁と、第一室内熱交換器と、第二膨張弁と、第二室内熱交換器とを夫々直列に接続し、これら第一膨張弁および前記第一室内熱交換器と、第二膨張弁および前記第二室内熱交換器とを夫々並列に接続した冷凍サイクルを形成してなるマルチタイプの空気調和機において、前記四方弁と、前記第一室内熱交換器との間に第一電磁弁を設け、前記四方弁と、前記第二室内熱交換器との間に第二電磁弁を設け、前記室外熱交換器と、前記第一室内熱交換器および前記第二室内熱交換器とを夫々並列に接続した配管に側路を設け、同側路に第三電磁弁を設けた構成となっている。
【０００７】
また、前記第一室内熱交換器を備えた第一室内機と、前記第二室内熱交換器を備えた第二室内機とを暖房運転する際、前記第一電磁弁および前記第二電磁弁を開いて前記第三電磁弁を閉じるとともに、前記第一膨張弁および前記第二膨張弁を絞り、前記圧縮機と、前記四方弁と、前記第一電磁弁および前記第二電磁弁と、前記第一室内熱交換器および前記第二室内熱交換器と、前記第一膨張弁および前記第二膨張弁と、前記室外熱交換器とで形成された冷凍サイクルを構成するようにした。
【０００８】
また、前記第二室内熱交換器を備えた第二室内機の運転を停止して前記第一室内熱交換器を備えた第一室内機を暖房運転する際、前記第一電磁弁および前記第三電磁弁を開いて前記第二電磁弁を閉じるとともに、前記第一膨張弁を絞って前記第二膨張弁を閉じ、前記圧縮機と、前記四方弁と、前記第一電磁弁と、前記第一室内熱交換器と、前記第一膨張弁と、前記室外熱交換器とで形成された冷凍サイクルを構成するようにした。
【０００９】
また、前記第一室内熱交換器を備えた第一室内機の運転を停止して前記第二室内熱交換器を備えた第二室内機を暖房運転する際、前記第二電磁弁および前記第三電磁弁を開いて前記第一電磁弁を閉じるとともに、前記第一膨張弁を閉じて前記第二膨張弁を絞り、前記圧縮機と、前記四方弁と、前記第二電磁弁と、前記第二室内熱交換器と、前記第二膨張弁と、前記室外熱交換器とで形成された冷凍サイクルを構成するようにした。
【００１０】
また、前記第一室内熱交換器を備えた第一室内機と、前記第二室内熱交換器を備えた第二室内機とを冷房運転する際、前記第一電磁弁および前記第二電磁弁を開いて前記第三電磁弁を閉じるとともに、前記第一膨張弁および前記第二膨張弁を絞り、前記圧縮機と、前記四方弁と、前記室外熱交換器と、前記第一膨張弁および前記第二膨張弁と、前記第一室内熱交換器および前記第二室内熱交換器と、前記第一電磁弁および前記第二電磁弁とで形成された冷凍サイクルを構成するようにした。
【００１１】
また、前記第二室内熱交換器を備えた第二室内機の運転を停止して前記第一室内熱交換器を備えた第一室内機を冷房運転する際、前記第一電磁弁および前記第三電磁弁を開いて前記第二電磁弁を閉じるとともに、前記第一膨張弁を絞って前記第二膨張弁を閉じ、前記圧縮機と、前記四方弁と、前記室外熱交換器と、前記第一膨張弁と、前記第一室内熱交換器と、前記第一電磁弁とで形成された冷凍サイクルを構成するようにした。
【００１２】
更に、前記第一室内熱交換器を備えた第一室内機の運転を停止して前記第二室内熱交換器を備えた第二室内機を冷房運転する際、前記第二電磁弁および前記第三電磁弁を開いて前記第一電磁弁を閉じるとともに、前記第一膨張弁を閉じて前記第二膨張弁を絞り、前記圧縮機と、前記四方弁と、前記室外熱交換器と、前記第二膨張弁と、前記第二室内熱交換器と、前記第二電磁弁とで形成された冷凍サイクルを構成するようにした。
【００１３】
【発明の実施の形態】
以下、本発明の実施の形態を、添付図面に基づいた実施例として説明する。図１と、図２とにおいて、１は圧縮機、２は四方弁、３は室外熱交換器、４は第一膨張弁、５は第二膨張弁、６は一方の二方弁、７は一方の三方弁、８は他方の二方弁、９は他方の三方弁、10は第一室内熱交換器、11は第二室内熱交換器、12は第一電磁弁、13は第二電磁弁、14は第三電磁弁、Ａは前記第一室内熱交換器10を備えた第一室内機、Ｂは前記第二室内熱交換器11を備えた第二室内機、Ｃは室外機で、前記圧縮機１と、前記四方弁２と、前記室外熱交換器３と、第一膨張弁４と、前記一方の二方弁６と、第一室内熱交換器10と、前記一方の三方弁７と、第二膨張弁５と、前記他方の二方弁８と、第二室内熱交換器11と、前記他方の三方弁９とを夫々直列に接続し、これら第一膨張弁４、一方の二方弁６、第一室内熱交換器10および一方の三方弁７と、第二膨張弁５、他方の二方弁８、第二室内熱交換器11および他方の三方弁９とを夫々並列に接続した冷凍サイクルを形成している。
【００１４】
前記四方弁２と、前記第一室内熱交換器10との間に前記第一電磁弁12を設け、前記四方弁２と、前記第二室内熱交換器11との間に第二電磁弁13を設け、前記室外熱交換器３と、前記第一室内熱交換器10および前記第二室内熱交換器11とを夫々並列に接続した配管に側路14' を設け、同側路14' に第三電磁弁14を設けた構成となっており、これによって、冷媒を溜めようとする室内熱交換器の片側の冷媒流路が常に開いた状態にならないようにできるようになるため、例えば暖房運転時に効率よく冷媒を溜めることが容易にできて、とくに暖房運転開始時の暖房能力を低下させることがないようにできるようにした構造となる。
【００１５】
また、前記第一室内熱交換器10を備えた第一室内機Ａと、前記第二室内熱交換器11を備えた第二室内機Ｂとを暖房運転する際、前記第一電磁弁12および前記第二電磁弁13を開いて前記第三電磁弁14を閉じるとともに、前記第一膨張弁４および前記第二膨張弁５を絞り、前記圧縮機１と、前記四方弁２と、前記第一電磁弁12および前記第二電磁弁13と、前記第一室内熱交換器11および前記第二室内熱交換器12と、前記第一膨張弁４および前記第二膨張弁５と、前記室外熱交換器Ｃとで形成された冷凍サイクルを構成したことにより、前記第一室内機Ａと、前記第二室内機Ｂとを同時に暖房運転して、暖房能力を損なうことなく快適な空気調和を行えるようにした構造となる。
【００１６】
また、前記第二室内熱交換器11を備えた第二室内機Ｂの運転を停止して前記第一室内熱交換器10を備えた第一室内機Ａを暖房運転する際、前記第一電磁弁12および前記第三電磁弁14を開いて前記第二電磁弁13を閉じるとともに、前記第一膨張弁４を絞って前記第二膨張弁５を閉じ、前記圧縮機１と、前記四方弁２と、前記第一電磁弁12と、前記第一室内熱交換器10と、前記第一膨張弁４と、前記室外熱交換器Ｃとで形成された冷凍サイクルを構成したことにより、前記第二室内機Ｂの運転を停止したことによってオーバーチャージとなった冷媒を、レシーバタンクとして使用できる前記第二室内熱交換器11の中に溜めることができるようになり、最適な冷媒の循環量に調節して、前記第一室内機Ａの暖房能力を損なうことなく快適な空気調和を行えるようにした構造となる。
【００１７】
また、前記第一室内熱交換器10を備えた第一室内機Ａの運転を停止して前記第二室内熱交換器11を備えた第二室内機Ｂを暖房運転する際、前記第二電磁弁13および前記第三電磁弁14を開いて前記第一電磁弁12を閉じるとともに、前記第一膨張弁４を閉じて前記第二膨張弁５を絞り、前記圧縮機１と、前記四方弁２と、前記第二電磁弁13と、前記第二室内熱交換器11と、前記第二膨張弁５と、前記室外熱交換器Ｃとで形成された冷凍サイクルを構成したことにより、前記第一室内機Ａの運転を停止したことによってオーバーチャージとなった冷媒を、レシーバタンクとして使用できる前記第一室内熱交換器10の中に溜めることができるようになり、最適な冷媒の循環量に調節して、前記第二室内機Ｂの暖房能力を損なうことなく快適な空気調和を行えるようにした構造となる。
【００１８】
また、前記第一室内熱交換器10を備えた第一室内機Ａと、前記第二室内熱交換器11を備えた第二室内機Ｂとを冷房運転する際、前記第一電磁弁12および前記第二電磁弁13を開いて前記第三電磁弁14を閉じるとともに、前記第一膨張弁４および前記第二膨張弁５を絞り、前記圧縮機１と、前記四方弁２と、前記室外熱交換器Ｃと、前記第一膨張弁４および前記第二膨張弁５と、前記第一室内熱交換器10および前記第二室内熱交換器11と、前記第一電磁弁12および前記第二電磁弁13とで形成された冷凍サイクルを構成したことにより、前記第一室内機Ａと、前記第二室内機Ｂとを同時に冷房運転して、冷房能力を損なうことなく快適な空気調和を行えるようにした構造となる。
【００１９】
また、前記第二室内熱交換器11を備えた第二室内機Ｂの運転を停止して前記第一室内熱交換器10を備えた第一室内機Ｂを冷房運転する際、前記第一電磁弁12および前記第三電磁弁14を開いて前記第二電磁弁13を閉じるとともに、前記第一膨張弁４を絞って前記第二膨張弁５を閉じ、前記圧縮機１と、前記四方弁２と、前記室外熱交換器Ｃと、前記第一膨張弁４と、前記第一室内熱交換器10と、前記第一電磁弁12とで形成された冷凍サイクルを構成したことにより、前記第二室内機Ｂの運転を停止したことによってオーバーチャージとなった冷媒を、レシーバタンクとして使用できる前記第二室内熱交換器11の中に溜めることができるようになり、最適な冷媒の循環量に調節して、前記第一室内機Ａの冷房運転開始時の立上り能力を高めるとともに、冷房運転時の冷房能力を損なうことなく快適な空気調和を行えるようにした構造となる。
【００２０】
更に、前記第一室内熱交換器10を備えた第一室内機Ａの運転を停止して前記第二室内熱交換器11を備えた第二室内機Ｂを冷房運転する際、前記第二電磁弁13および前記第三電磁弁14を開いて前記第一電磁弁12を閉じるとともに、前記第一膨張弁４を閉じて前記第二膨張弁５を絞り、前記圧縮機１と、前記四方弁２と、前記室外熱交換器Ｃと、前記第二膨張弁５と、前記第二室内熱交換器11と、前記第二電磁弁13とで形成された冷凍サイクルを構成したことにより、前記第一室内機Ａの運転を停止したことによってオーバーチャージとなった冷媒を、レシーバタンクとして使用できる前記第一室内熱交換器10の中に溜めることができるようになり、最適な冷媒の循環量に調節して、前記第二室内機Ｂの冷房運転開始時の立上り能力を高めるとともに、冷房運転時の冷房能力を損なうことなく快適な空気調和を行えるようにした構造となる。
【００２１】
以上の構成により、図１と図２とで示すように、前記第一室内機Ａおよび前記第二室内機Ｂが上記に説明したような種々の運転状態となるのに応じて、夫々最適な冷媒の循環量となるように調節することが可能であるから、例えば、前記第一室内機Ａまたは前記第二室内機Ｂの何れか一台のみを運転した際、能力を低下させることなく快適な空気調和を行えるようにした空気調和機となる。
【００２２】
【発明の効果】
以上のように本発明によると、室外機に接続されている複数の室内機のうち、一部の室内機しか運転していない時、停止している室内機の熱交換器内に効率よく冷媒を溜めることができるようにして、能力を低下させることなく快適な空気調和を行える冷凍サイクルを形成した空気調和機となる。
【図面の簡単な説明】
【図１】本発明による空気調和機の冷凍サイクルを示す図である。
【図２】本発明による空気調和機の運転モードと各弁の動作とを示す図である。
【図３】従来例による空気調和機の冷凍サイクルを示す図である。
【符号の説明】
１ 圧縮機
２ 四方弁
３ 室外熱交換器
４ 第一膨張弁
５ 第二膨張弁
６ 一方の二方弁
７ 一方の三方弁
８ 他方の二方弁
９ 他方の三方弁
10 第一室内熱交換器
11 第二室内熱交換器
12 第一電磁弁
13 第二電磁弁
14 第三電磁弁
14' 側路
Ａ 第一室内機
Ｂ 第二室内機
Ｃ 室外機
【図１】
0004258867.tif 000002
【図３】
0004258867.tif 000003
【図２】
0004258867.tif 000004